(57)【特許請求の範囲】
【請求項１】
コンピュータにより実施される方法であって、
仮想現実(VR)アプリケーションによってサポートされるサービスを開始するための、VRデバイスユーザの音声コマンドを認識するステップと、
生体情報を前記VRデバイスユーザのユーザアカウントに登録するために、1つまたは複数の生体センサを使用して前記VRデバイスユーザの前記生体情報を収集するステップと、
前記サービスを提供するサーバに生体登録要求を送るステップであって、前記生体登録要求が、前記ユーザアカウントに関連する、前記生体情報を含む、ステップと
前記1つまたは複数の生体センサを使用して前記VRデバイスユーザの1つまたは複数の生体特性を収集するステップと、
前記1つまたは複数の生体特性に基づいてユーザ識別認証を実行するステップと、
前記ユーザ識別認証が成功すると、
前記音声コマンドに基づいて音声認識要求を構築するステップと、
アクセスインターフェースを通して前記音声認識要求を前記サーバに送るステップと、
前記音声コマンドに関連する文字列命令を受信するステップと、
前記文字列命令に応じて前記サービスを実行するステップと
を含む、コンピュータにより実施される方法。
【請求項２】
前記サービスを取り消すための、前記VRデバイスユーザの音声コマンドを認識した後で、前記サービスを取り消すステップをさらに含む、請求項1に記載のコンピュータにより実施される方法。
【請求項３】
別のサービスに切換えるための、前記VRデバイスユーザの音声コマンドを認識した後で、別のサービスに切換えるステップをさらに含む、請求項1に記載のコンピュータにより実施される方法。
【請求項４】
VRデバイスユーザを検出するために生物学的検定プロセスを実行するステップと、
前記生物学的検定プロセスに基づいて前記VRデバイスユーザが検出された場合、生体認証を実行するように前記VRデバイスユーザに通知するための通知をVRシナリオ内に提示するステップと
をさらに含む、請求項1に記載のコンピュータにより実施される方法。
【請求項５】
前記生物学的検定プロセスが、瞬きの認識または心拍の認識を含む、請求項4に記載のコンピュータにより実施される方法。
【請求項６】
生体認証を実行するように前記VRデバイスユーザを案内するための仮想案内をVRシナリオ内に提示するステップをさらに含む、請求項1に記載のコンピュータにより実施される方法。
【請求項７】
生体認証要求を前記サーバに送るステップであって、前記生体認証要求が、前記サーバが生体認証のための前記生体情報と比較するための前記1つまたは複数の生体特性を含む、ステップと
をさらに含む、請求項1に記載のコンピュータにより実施される方法。
【請求項８】
前記1つまたは複数の生体特性が、前記VRデバイスユーザの指紋を含む、請求項1に記載のコンピュータにより実施される方法。
【請求項９】
動作を実行するためにコンピュータシステムによって実行可能な1つまたは複数の命令を記憶した、非一時的なコンピュータ可読記憶媒体であって、前記動作が、
仮想現実(VR)アプリケーションによってサポートされるサービスを開始するための、VRデバイスユーザの音声コマンドを認識することと、
生体情報を前記VRデバイスユーザのユーザアカウントに登録するために、1つまたは複数の生体センサを使用して前記VRデバイスユーザの前記生体情報を収集することと、
前記サービスを提供するサーバに生体登録要求を送ることであって、前記生体登録要求が、前記ユーザアカウントに関連する、前記生体情報を含む、送ることと
前記1つまたは複数の生体センサを使用して前記VRデバイスユーザの1つまたは複数の生体特性を収集することと、
前記1つまたは複数の生体特性に基づいてユーザ識別認証を実行することと、
前記ユーザ識別認証が成功すると、
前記音声コマンドに基づいて音声認識要求を構築することと、
アクセスインターフェースを通して前記音声認識要求を前記サーバに送ることと、
前記音声コマンドに関連する文字列命令を受信することと、
前記文字列命令に応じて前記サービスを実行することと
を含む、非一時的なコンピュータ可読記憶媒体。
【請求項１０】
前記VRデバイスユーザを検出するために生物学的検定プロセスを実行することと、
前記生物学的検定プロセスに基づいて前記VRデバイスユーザが検出された場合、生体認証を実行するように前記VRデバイスユーザに通知するための通知をVRシナリオ内に提示することと
をさらに含む、請求項9に記載の非一時的なコンピュータ可読記憶媒体。
【請求項１１】
生体認証要求を前記サーバに送ることであって、前記生体認証要求が、前記サーバが生体認証のための前記生体情報と比較するための前記1つまたは複数の生体特性を含む、送ることと
をさらに含む、請求項9に記載の非一時的なコンピュータ可読記憶媒体。
【請求項１２】
コンピュータ実装システムであって、
1つまたは複数のコンピュータと、
前記1つまたは複数のコンピュータに相互運用可能に結合され、命令を記憶した、有形の非一時的な機械可読記憶媒体を有する、1つまたは複数のコンピュータメモリデバイスと
を備え、
前記命令は、前記1つまたは複数のコンピュータによって実行されると、
仮想現実(VR)アプリケーションによってサポートされるサービスを開始するための、VRデバイスユーザの音声コマンドを認識することと、
生体情報を前記VRデバイスユーザのユーザアカウントに登録するために、1つまたは複数の生体センサを使用して前記VRデバイスユーザの前記生体情報を収集することと、
前記サービスを提供するサーバに生体登録要求を送ることであって、前記生体登録要求が、前記ユーザアカウントに関連する、前記生体情報を含む、送ることと
前記1つまたは複数の生体センサを使用して前記VRデバイスユーザの1つまたは複数の生体特性を収集することと、
前記1つまたは複数の生体特性に基づいてユーザ識別認証を実行することと、
前記ユーザ識別認証が成功すると、
前記音声コマンドに基づいて音声認識要求を構築することと、
アクセスインターフェースを通して前記音声認識要求を前記サーバに送ることと、
前記音声コマンドに関連する文字列命令を受信することと、
前記文字列命令に応じて前記サービスを実行することと
を含む動作を実行する、コンピュータ実装システム。
【請求項１３】
前記VRデバイスユーザを検出するために生物学的検定プロセスを実行することと、
前記生物学的検定プロセスに基づいて前記VRデバイスユーザが検出された場合、生体認証を実行するように前記VRデバイスユーザに通知するための通知をVRシナリオ内に提示することと
をさらに含む、請求項12に記載のコンピュータ実装システム。
【請求項１４】
生体認証要求を前記サーバに送ることであって、前記生体認証要求が、前記サーバが生体認証のための前記生体情報と比較するための前記1つまたは複数の生体特性を含む、送ることと
をさらに含む、請求項12に記載のコンピュータ実装システム。
【請求項１５】
生体認証を実行するように前記VRデバイスユーザを案内するための仮想案内をVRシナリオ内に提示することをさらに含む、請求項9に記載の非一時的なコンピュータ可読記憶媒体。
【請求項１６】
生体認証を実行するように前記VRデバイスユーザを案内するための仮想案内をVRシナリオ内に提示することをさらに含む、請求項12に記載のコンピュータ実装システム。
【請求項１７】
前記1つまたは複数の生体特性が、前記VRデバイスユーザの指紋を含む、請求項12に記載のコンピュータ実装システム。
【請求項１８】
前記サービスを取り消すための、前記VRデバイスユーザの音声コマンドを認識した後で、前記サービスを取り消すことをさらに含む、請求項9に記載の非一時的なコンピュータ可読記憶媒体。
【請求項１９】
別のサービスに切換えるための、前記VRデバイスユーザの音声コマンドを認識した後で、別のサービスに切換えることをさらに含む、請求項9に記載の非一時的なコンピュータ可読記憶媒体。
【請求項２０】
前記サービスを取り消すための、前記VRデバイスユーザの音声コマンドを認識した後で、前記サービスを取り消すことと
別のサービスに切換えるための、前記VRデバイスユーザの音声コマンドを認識した後で、別のサービスに切換えることと
をさらに含む、請求項12に記載のコンピュータ実装システム。
【発明の詳細な説明】
【技術分野】
【０００１】
本出願は、その内容全体が参照により本明細書に組み込まれている、2016年10月13日に出願した中国特許出願第201610896522.3号、および2017年10月12日に出願した米国特許出願第15/782,729号の優先権を主張するものである。
【０００２】
本開示は、仮想現実アプリケーションに関し、より詳細には、仮想現実に基づくサービス制御およびユーザ識別認証に関する。
【背景技術】
【０００３】
仮想現実(VR)は、ユーザの物理的存在を3次元(3D)仮想環境でシミュレートする、現実的な画像、サウンド、および他の感覚を生成するために、時として物理空間またはマルチ投影環境と組み合わせて、ヘッドセットなどのVRデバイスを使用するコンピュータ技術であり、VRユーザが仮想環境と対話することを可能にする。VR技術を使用してユーザに没入型体験を提供するための、ゲーム、コンテンツ消費、および生産性のためのアプリケーションなど、多くのアプリケーションが開発されている。多くのVRアプリケーションは、アプリケーション内購入、ユーザカスタマイズ化、またはペアレンタルコントロールを可能にする。これらの動作は、セキュリティのためにユーザ識別認証を必要とするべきである。
【発明の概要】
【課題を解決するための手段】
【０００４】
本開示は、仮想現実(VR)に基づくサービス制御およびユーザ識別認証のための、コンピュータ実装方法、コンピュータプログラム製品、およびコンピュータシステムを含む、方法およびシステムについて説明する。
【０００５】
一実装形態では、VRアプリケーションによってサポートされるサービスを開始するための、VRデバイスユーザの音声コマンドが受信される。生体センサを使用してVRデバイスユーザの1つまたは複数の生体特性を収集する。収集された1つまたは複数の生体特性に基づいてユーザ識別認証を実行し、ユーザ識別認証が成功した場合、サービスを実行するためにサービスを提供するサーバに通信する。
【０００６】
すでに説明した実装形態は、コンピュータ実装方法;コンピュータ実装方法を実行するためのコンピュータ可読命令を記憶した、非一時的なコンピュータ可読媒体;およびコンピュータ実装方法/非一時的なコンピュータ可読媒体上に記憶された命令を実行するように構成されたハードウェアプロセッサに相互運用可能に結合されたコンピュータメモリを備えたコンピュータ実装システムを使用して実装可能である。
【０００７】
本明細書で説明する主題は、仮想環境においてサービスおよびユーザ識別認証の効率的な制御を実現して、より高速な、かつより利便性の高い動作、より没入的な体験をVRユーザに提供するために、特定の実装形態で実装され得る。他の利点は、当業者に明らかになるであろう。
【０００８】
本明細書の主題の1つまたは複数の実装形態の詳細は、発明を実施するための形態、特許請求の範囲、および添付の図面に記載されている。この主題の他の特徴、態様、および利点は、発明を実施するための形態、特許請求の範囲、および添付の図面から明らかになるであろう。
【図面の簡単な説明】
【０００９】
【図１】本開示の一実装形態による、仮想現実に基づいて音声コマンドおよび生体ユーザ識別認証を使用してサービスを実行するための方法100の一例を示すフローチャートである。
【図２】本開示の一実装形態による、本開示で説明するようなアルゴリズム、方法、機能、プロセス、フロー、および手順に関連する計算機能性を提供するために使用される例示的なコンピュータシステムを示すブロック図である。
【発明を実施するための形態】
【００１０】
様々な図面において同様の参照番号および表示は同様の要素を示す。
【００１１】
以下の詳細な説明は、セキュリティ認証を必要とするサービスを効率的に実行するための音声コマンドを使用すること、および仮想現実(VR)環境の下でユーザ識別を検証するために生体認証を使用することに関する技術について説明し、当業者が1つまたは複数の特定の実装形態の文脈で開示する主題を作成することおよび使用することを可能にするために提示される。開示する実装形態の様々な修正、改変、および置換が行われてよく、それらは当業者に容易に明らかになり、本開示の範囲から逸脱せずに、定義される一般原理を他の実装形態および応用例に適用することができる。場合によっては、1つまたは複数の説明する実装形態を不要な詳細で曖昧にしないように、かつそのような詳細が当業者の技能範囲内にある限り、説明する主題の理解を得るために不要な詳細は省かれることがある。本開示は、説明するまたは示す実装形態に限定されることが意図されず、説明する原理および特徴に整合する最大範囲が与えられるべきである。
【００１２】
仮想現実(VR)は、ユーザの物理的存在を3次元(3D)仮想環境でシミュレートする、現実的な画像、サウンド、および他の感覚を生成するために、時として物理空間またはマルチ投影環境と組み合わせて、ヘッドセットなどのVRデバイスを使用するコンピュータ技術であり、VRユーザが仮想環境と対話することを可能にする。VR技術を使用してユーザに没入型体験を提供するための、ゲーム、コンテンツ消費、および生産性のためのアプリケーションなど、多くのアプリケーションが開発されている。多くのVRアプリケーションは、アプリケーション内購入、ユーザカスタマイズ化、またはペアレンタルコントロールを可能にする。これらの動作は、セキュリティのためにユーザ識別認証を必要とするべきである。場合によっては、認証プロセスが非セキュアな場合があるか、または識別認証を実行するためにVRユーザが複雑なジェスチャを使用すること、または仮想環境から出ることが必要な場合がある。
【００１３】
本開示は、VR環境においてサービスを実行するためのサービスおよびセキュリティ認証のより高速かつ、より利便性の高い性能のための技術について説明する。VRデバイスユーザは、VRデバイスを使用して音声コマンドを口述することができる。対応する音声コマンドがVRデバイスによって認識された場合、セキュリティ認証を必要とするサービスが開始され得る。サービスが開始された後で、VRデバイスは、生体センサをアクティブ化して、ユーザ識別認証のためにユーザの生体特性を収集することができる。生体認証が成功した場合、ユーザは、他の音声コマンドを使用して、サービスの異なる機能を実行または制御することができる。したがって、ユーザは、VRユーザインターフェース内の仮想要素との複雑な対話(たとえば、サービス選択のために仮想カーソルを操作するために手によるジェスチャを使用する)を回避するために、自身の音声を使用してサービスを好都合に開始および実行することができる。その上、仮想キーボードを用いた複雑な対話によるパスワードの入力と比較して、VRデバイスを通した生体認証は、アカウントセキュリティを確実にしながら、より高速なユーザ識別認証を許可し得る。
【００１４】
図1は、本開示の一実施形態による、VRに基づいて音声コマンドおよび生体ユーザ識別認証を使用してサービスを実行するための例示的な方法100を示すフローチャートである。提示を明瞭にするために、続く説明は、概して、本明細書において他の図面の文脈で方法100について説明する。しかしながら、方法100は、たとえば、任意の好適なシステム、環境、ソフトウェア、およびハードウェア、またはシステム、環境、ソフトウェア、およびハードウェアの組合せによって適宜に実行され得ることを理解されよう。場合によっては、方法100の様々なステップは、並行して、組み合わせて、ループで、または何らかの順序で実行され得る。例示的な方法100は、VRソフトウェアまたはアプリケーションによって実行され得る。
【００１５】
110において、VRデバイスユーザに関連する、ユーザ識別認証を必要とするサービスを実行するための音声コマンドを認識する。音声コマンドは、VRヘッドセットなどのVRデバイス上にインストールされたマイクロフォンなどの音声収集デバイスによって受信され得る。サービスは、ユーザ識別認証を必要とする、ユーザによって実行されるVRアプリケーション内で提供される任意のサービスまたはタスクであり得る。たとえば、サービスは、VRショッピング、VRゲーム、VRベースのビデオオンデマンドなどのVRアプリケーションで行われる支払い、またはVRライブキャストに対する寄付など、支払いサービスであり得る。VRアプリケーションは、VRに基づいて開発された任意のソフトウェアまたはアプリケーションであってよい。VRアプリケーションは、VRデバイスを通してVRシナリオをレンダリングして、ユーザに没入型3D体験を提供することができる。
【００１６】
VRシナリオまたはVR環境は、UNITY、3DSMAX、またはPHOTOSHOP(登録商標)などのモデリングツールを使用してVRモデリングによって作成され得る。場合によっては、VRモデリングおよびVRシナリオテクスチャマッピングは、現実のシナリオに基づき得る。たとえば、マテリアルおよび現実のシナリオモデルのテクスチャマップが、現実のオブジェクトまたはシナリオを撮影することによってまず収集され得る。次いで、テクスチャ処理および現実の3Dモデル作成のために、PHOTOSHOP(登録商標)または3DMAXなどのモデリングツールを使用することができる。3Dモデルは、次いで、UNITY3D(U3D)PLATFORMERにインポートされ、サウンド効果、グラフィカルインターフェース、プラグイン、および照明を通して、多次元的にレンダリングされ得る。次いで、対話コードを実行して、3DモデルをVRシナリオモデルに変換することができる。
【００１７】
場合によっては、VRシナリオにおいて1つまたは複数の仮想要素と対話することによってサービスを開始する複雑さを低減するために、VRデバイスは、音声認識ソフトウェアを使用して、ユーザの音声コマンドを認識することができる。したがって、ユーザがVRシナリオにおいて没入型体験をしている間にサービスを実行する必要があるとき、ユーザは、サービス対話をトリガするために、VRシナリオにおいて1つまたは複数の仮想要素と対話する代わりに、音声コマンドを使用してサービスを開始することができる。
【００１８】
場合によっては、VRデバイスは、VRユーザから音声入力を収集し、音声認識ソフトウェアを使用して、ユーザによって口述された音声コマンドを認識することができる。いくつかの他の場合には、音声認識は、そのサービスを提供するサーバによって実行され得る。たとえば、サーバクラスタによって形成されるサービスプラットフォームが、音声認識サービスに対してサーバを指定し、VRデバイスが音声認識サービスにアクセスするためのアクセスインターフェースを提供することができる。
【００１９】
ユーザから音声入力を収集した後で、VRデバイスは、収集された音声入力に基づいて音声認識要求を構築し、アクセスインターフェースを通して音声認識要求をサーバに送ることができる。
【００２０】
音声認識要求を受信した後で、サーバは、音声認識要求を構文解析し、音声コマンドを識別し、音声認識アルゴリズムを使用して音声コマンドを認識することができる。音声コマンドを認識した後で、サーバは、音声コマンドをVRデバイスによって認識可能な文字列命令に変換し、文字列命令をVRデバイスに送ることができる。文字列命令を受信した後で、VRデバイスは、文字列命令がサービスに対応する実行可能命令であるかどうかを判定することができる。そうである場合、VRデバイスは、その命令に応じてサービスを開始することができる。
【００２１】
たとえば、サービスがVRアプリケーションに基づく支払いサービスであるとき、ユーザは、「支払い開始」音声コマンドを送ることができる。音声認識を実行した後で、サーバは、音声コマンドをVRデバイスによって認識可能な文字列命令に変換することができ、VRデバイスは、その命令に応じて支払いプロセスを開始することができる。
【００２２】
サービスを開始するために音声コマンドを使用することに加えて、それらの制御機能がサービスに利用可能である限り、音声コマンドを使用して、サービスの取消しなど、他の音声制御を実行することができる。取消し音声コマンドが首尾よく認識され、文字列命令に変換されると、VRデバイスは、取消し命令に応じてサービスを取り消すことができる。たとえば、サービスがVRアプリケーションに基づく支払いサービスであるとき、音声コマンド「支払い開始」によってサービスが開始された後で、ユーザは支払いサービスを取り消すことができる。ユーザは音声コマンド「支払い取消し」を口述することができる。音声コマンド「支払い取消し」がサーバによって認識され、文字列命令に変換された後で、VRデバイスは、その命令に応じて支払いプロセスを終了することができる。
【００２３】
VRデバイスユーザは、音声コマンドを使用して、サービスがどのように実行されるかを制御することもできる。たとえば、この場合もVRアプリケーションに基づく支払いサービスを使用すると、ユーザは、「クレジットカードに切換え」を口述することによって、支払い方法をデビットカードからクレジットカードに切換え、追加の音声コマンド「クレジットカードで支払ってください」を送って、クレジットカード支払いを実行することができる。110から、方法100は120に進む。
【００２４】
120において、生体センサを使用して、ユーザ識別認証のためにVRユーザの生体特性のうちの1つまたは複数を収集することができる。VRシナリオおよびサービスインターフェースモデリングの後で、VRデバイスは、VRシナリオおよびサービスインターフェースをユーザに提示することができる。場合によっては、VRデバイスは、ユーザ識別認証を促進にするための生体認識機能を含み得る。生体認識機能は、指紋、虹彩、または強膜など、ユーザの生体特性のうちの1つまたは複数を識別することができる生体センサによって実行され得る。生体センサは、VRデバイスに内蔵されてよく、VRデバイスとは別個であってもよいが、VRデバイスに通信可能に結合されるか、またはスマートフォンなどのモバイルデバイス上に統合されてもよい。
【００２５】
場合によっては、VRデバイスは、スマートフォンをヘッドセット内に挿入またはスライドし、スマートフォン上に表示される画像をVRシナリオに変換することによって機能し得る、スライドインタイプのVRヘッドセットであってよい。そのような場合、VRデバイスは、指紋認識、虹彩認識、または音声認識を実行するために、指紋センサ、カメラ、またはマイクロフォンなどの内蔵型生体センサに依存し得る。
【００２６】
指紋認証を使用して、たとえば、ユーザは、まず、指紋センサを使用して指紋を登録し、サーバ上のユーザサービスアカウントを指紋情報と関連付けることができる。たとえば、サービスがVR支払いサービスであるとき、ユーザのサービスアカウントは支払いアカウントであり得る。サービスサーバは、受信された情報を使用して、ユーザの指紋情報をユーザに関連するサービスアカウントに関連付け/マッピングし、指紋情報を生体特性データベースに保存することができる。場合によっては、ユーザアカウントはサービスアカウントと同じであってよい。
【００２７】
場合によっては、ユーザは、ユーザアカウントにログインしてVRデバイスを使用し、VRシナリオにおいてサービスにアクセスするためにサービスインターフェース内でプロンプトされるように指紋認証を実行することができる。VRデバイスは、指紋情報およびVRデバイスユーザアカウントログイン情報を登録メッセージとしてサービスサーバに送ることができる。サーバは、受信された情報を使用して、ユーザの指紋情報をユーザのサービスアカウントに関連付け、生体特性データベースにマッピングされたサービスアカウントに指紋情報を保存することができる。場合によっては、ユーザアカウントはサービスアカウントと同じであってよい。
【００２８】
場合によっては、VRデバイスは、セキュリティを拡張するために、登録メッセージをサービスサーバに送る前に、追加のセキュリティ認証を実行することができる。たとえば、VRデバイスは、ユーザの指紋登録メッセージをサービスサーバに送る前に、パスワードまたは他のセキュリティ情報を入力して、ユーザの識別を検証するようにユーザにプロンプトすることができる。このプロセスは、無許可のユーザが、許可されたユーザのユーザアカウントに結び付くために、その指紋情報を不正に登録するのを防ぐことができる。指紋登録の後で、VRデバイスは、ユーザが音声コマンドを使用してサービスを開始した後で、ユーザの指紋に基づいて生体認証を開始することができる。指紋認証の場合、指紋は指紋センサによって収集され得る。
【００２９】
場合によっては、VRデバイスは、VRデバイスが実際の人物によって現在使用されていることを確実にするために、生体情報を収集する前に生物学的検定プロセスを実行することができる。このプロセスは、無許可のユーザが、生体認証のために、許可されたユーザの指紋画像または虹彩画像を使用して、許可されたユーザのサービスアカウントに不適切にアクセスするのを防ぐことができる。例示的な生物学的検定プロセスは、瞬きの認識または心拍の認識を含み得る。
【００３０】
生物学的検定プロセスを使用して実際のユーザが検出された後で、VRデバイスは、サービスアカウントにアクセスするために生体認証を実行するようにユーザにプロンプトすることができる。例としてVR支払いサービスを使用すると、VRデバイスは、「支払い認証のためにあなたの指紋を走査してください」など、テキストプロンプトをVRシナリオ内に提示することができる。場合によっては、仮想環境内におり、VRデバイスを装着している間に、ユーザが指紋走査を実行することは困難な場合がある。VRデバイスは、指紋センサの取付け位置をVRデバイス上に示すための1つまたは複数の仮想要素をプロンプトすることができる。1つまたは複数の仮想要素は、指紋認識のために指紋センサを走査するようにユーザを案内することができる。
【００３１】
場合によっては、VRデバイスは、静的なマークまたは矢印をVRシナリオのユーザビュー内に出力して、指紋センサの相対的位置をVRデバイス上に示すことができる。たとえば、指紋センサが、VRヘッドセットの右上、前面コーナー上に取り付けられている場合、仮想の点滅する矢印をVRシナリオ内に示して、指紋センサの相対的位置を指すことができる。したがって、指紋認証のために指を走査するために、そのユーザのビューの右上コーナーに指を動かすようにユーザを案内することができる。
【００３２】
場合によっては、VRデバイスは、動的なマークまたは矢印をVRシナリオのユーザビュー内に出力して、指を指紋センサに動かすようにユーザを案内することができる。たとえば、動的なマークは、指紋センサの場所の概略的な方向を指すことによって開始し得る。他の動きセンサを使用して、ユーザが指紋センサ上で指を首尾よく走査するまで、動的なマークが指す方向を動的に調整するために、ユーザの指または手の動きをVRデバイスによって感知することができる。または、VRデバイスは、ユーザが指と指紋センサとの間の相対的位置に気付くことができるように、ユーザの手または指の動きの動的軌道および指紋センサの相対的な場所をVRシナリオ上に示すことができる。
【００３３】
したがって、仮想環境を体験するためにVRデバイスを装着するユーザは、生体認証を実行するためにVRデバイスを取り外さなくてよい。これは、ユーザ識別認証プロセスを促進にし、ユーザの没入型VR体験の中断を低減するのに役立ち得る。120から、方法100は130に進む。
【００３４】
130において、収集された生体特性に基づいてユーザ識別認証を実行することができる。場合によっては、生体情報がVRデバイスによって収集された後で、VRデバイスは、サービスサーバに対する生体認識要求を生成することができる。生体認識要求は、ユーザのユーザアカウント情報またはサービスアカウント情報、および生体情報を含み得る。サービスサーバは、要求を受信し、要求をサーバに提出するための生体認識インターフェースをVRデバイスに提供することができる。場合によっては、サービスサーバは、生体認識サーバと協働することができ、生体認識インターフェースは生体認識サーバによって提供され得る。
【００３５】
生体認識要求を受信した後で、サービスサーバは、要求を構文解析し、生体情報およびユーザアカウント情報を取得し、生体情報を生体特性データベース内に記憶された生体サンプルデータと比較することができる。場合によっては、生体情報と生体サンプルデータとの間の一致が見いだされた場合、サービスサーバは、受信されたユーザアカウント情報が、一致する生体サンプルデータに関連するアカウントと一致するかどうかをさらに検証することができる。生体情報およびユーザアカウント情報を生体特定データベース内に記憶された対応する情報と比較した後で、サービスサーバは、認証結果をVRデバイスに戻すことができる。いくつかの実施形態では、ブール型の戻り値(すなわち、真または偽)として認証結果を戻すことができる。生体情報およびユーザアカウント情報のうちの1つまたは両方が生体特定データベース内に記憶された対応する情報と一致する場合、生体認識が成功したことを示すために「真」値を戻すことができる。そうでない場合、生体認証が失敗したことを示すために「偽」値を戻すことができる。
【００３６】
場合によっては、VRデバイスは、生体認証を局所的に実行することができる。ユーザの生体情報は、生体情報登録の間にVRデバイス内に保存されてよい(たとえば、指紋情報をVRデバイス上のユーザアカウントに登録する)。ユーザがVRシナリオにおいてサービスを開始した後で、VRデバイスは、ユーザの生体情報を収集し、生体情報登録の間にその生体情報を生体情報と比較することができる。生体情報が保続された情報と一致する場合、そのサービスに対する生体認証は成功する。そうでない場合、生体認証は失敗する。130から、方法100は140に進む。
【００３７】
140において、ユーザ識別認証が成功した場合、サービスサーバと通信することによってサービスが実行される。生体認証が成功した(たとえば、戻り値が「真」である)場合、VRデバイスは、そのサービスに関するデータを集めるためにそのサービスに対応するサービスインターフェースを提示し、サービス要求を確立し、サービスアクセスインターフェースを介してサービス要求をサービスサーバに提出し、必要な場合、サービスサーバとさらなる対話を実行して、そのサービスを実行することができる。
【００３８】
この場合も、たとえば、VR支払いサービスを使用すると、VRデバイスは、ユーザ名、注文情報、および価格などの支払い関連情報を集め、次いで、支払い処理要求を生成し、支払い処理要求をサービスサーバに送るための支払いインターフェースを提示することができる。サービスサーバは、要求を処理し、支払いを完了することができる。
【００３９】
以下の例は、VRショッピングを使用して、生体認証が、より安全で、より高速、かつより簡単なサービス体験をどのようにユーザに提供することができるかを示す。使用する生体情報は指紋であると仮定する。VRショッピングのためのサービスは、ALIPAYなどの支払いサービスであってよい。仮想要素は、VRショッピングシナリオで提示される仮想ボタンであってよい。支払いサービスのためのサーバは、サーバクラスタに基づくALIPAYプラットフォームなどの支払いサーバであってよい。
【００４０】
ユーザは、ユーザのユーザアカウントまたは支払いアカウントを使用してVRデバイスにログインし、VRデバイス上で指紋登録を完了して、ユーザの指紋を支払いアカウントに関連付けることができる。ユーザのアカウント情報および対応する指紋情報は、支払いサーバ上の生体特定データベース内に記憶され得る。指紋登録の後で、ユーザは、VR環境における生体認証のために指を使用することができる。
【００４１】
VRショッピングのためにVRデバイスを装着すると、販売品目がVRシナリオ内でユーザに提示され得、ユーザは、ジェスチャまたは(たとえば、頭、手、または身体を用いた)動きを使用して、品目リストをナビゲートし、品目を選択するか、または品目をショッピングカートに追加することができる。いくつかの実施形態では、ジェスチャは、手を用いて実行される3Dジェスチャを含み得る。場合によっては、品目が選択されるか、またはユーザのショッピングカートに追加されると、チェックアウトまたは支払いのための仮想ボタン(すなわち、仮想要素である)が提供され得る。ユーザは、この場合も、ジェスチャまたは動きを使用して、動作上の焦点(たとえば、カーソル)を仮想ボタンに動かし、所定のジェスチャまたは動きを使用して仮想ボタンを選択することができる。
【００４２】
支払いサービスは、サービスがユーザの音声コマンドによって開始された後で開始される。場合によっては、VRデバイスは、生物学的検定プロセスを実行して、VRデバイスの実際のユーザが提示されるかどうかを判定することができる。そうである場合、VRデバイスは、メッセージ「支払い認証のためにあなたの指紋を走査してください」をVRシナリオ内でプロンプトすることができる。
【００４３】
指紋センサがVRデバイスの右上コーナーに取り付けられていると仮定すると、指紋収集のために指を指紋センサに動かすようにユーザを案内するために、右上コーナーを指す仮想の点滅する矢印または動的なポインタがVRシナリオ内に提示され得る。
【００４４】
指紋収集の後で、VRデバイスは、収集された指紋情報およびユーザのユーザアカウント情報または支払いアカウント情報を含む指紋認証要求を支払いサーバに送ることができる。支払いサーバは、指紋登録の間に指紋情報を生体特定データベース内に記憶された指紋情報と比較することができる。受信された指紋情報がデータベース内に記憶されたユーザアカウントに関連する指紋と一致し、支払いアカウント情報が記憶されたユーザアカウント情報と整合する場合、支払いサーバは、ブール型の「真」値をVRデバイスに戻して、指紋認証が成功したことを示すことができる。
【００４５】
支払いが成功したことを確認した後で、VRデバイスは、ユーザが、ユーザ名、注文情報、および支払サービスに関する支払金額など、支払いデータを入力するための支払いインターフェースを提示し、支払い処理要求を生成して、支払いサーバに送ることができる。支払いサーバは、支払いを処理し、購入を完了することができる。
【００４６】
場合によっては、支払い速度をさらに促進するために、「少額の場合は認証なし」の支払いプロセスを使用することができる。たとえば、ユーザが音声コマンドを使用して支払いサービスを開始するとき、VRデバイスは、品目の価格を確認し、支払い金額が事前設定された金額(たとえば、20米ドル)未満であるかどうかを判定することができる。支払い金額が事前設定された金額未満である場合、VRデバイスは、生体認証なしに、支払い処理要求を直接に生成して、支払いサーバに送ることができる。そうでない場合、ユーザは、支払いサービスが使用され得る前に、生体認証を実行することが必要とされる。130の後で、方法100は終了する。
【００４７】
図2は、本開示の一実装形態による、説明するアルゴリズム、方法、機能、プロセス、フロー、および手順に関連する計算機能性を提供するために使用されるコンピュータシステム200の一例を示すブロック図である。示すコンピュータ202は、サーバ、デスクトップコンピュータ、ラップトップ/ノートブックコンピュータ、ワイヤレスデータポート、スマートフォン、携帯情報端末(PDA)、タブレットコンピューティングデバイス、これらのデバイス内の1つまたは複数のプロセッサ、別のコンピューティングデバイス、またはコンピューティングデバイスの物理インスタンスまたは仮想インスタンス、またはコンピューティングデバイスの物理インスタンスまたは仮想インスタンスの組合せを含めて、コンピューティングデバイスの組合せなど、任意のコンピューティングデバイスを包含することが意図される。加えて、コンピュータ202は、キーパッド、キーボード、タッチスクリーン、別の入力デバイス、またはユーザ情報を受け取ることができる入力デバイスと、デジタルデータ、視覚情報、オーディオ情報、別のタイプの情報、または情報タイプの組合せを含めて、コンピュータ202の動作に関連する情報をグラフィカルタイプのUI(もしくは、GUI)または他のUI上に伝える出力デバイスとを含むコンピュータを含み得る。
【００４８】
コンピュータ202は、クライアント、ネットワーク構成要素、サーバ、データベースもしくは別の持続性、別の役割、または本開示で説明する主題を実行するための役割の組合せとして、コンピュータシステム内の役割を果たすことができる。示すコンピュータ202は、ネットワーク230と通信可能に結合される。いくつかの実施形態では、コンピュータ202の1つまたは複数の構成要素は、クラウドコンピューティングベース環境、ローカル環境、グローバル環境、別の環境、または環境の組合せを含めて、環境内で動作するように構成され得る。
【００４９】
ハイレベルにおいて、コンピュータ202は、説明する主題に関連するデータおよび情報を受信、送信、処理、記憶、または管理するように動作可能な電子コンピューティングデバイスである。同じ実装形態によれば、コンピュータ202は、アプリケーションサーバ、電子メールサーバ、ウェブサーバ、キャッシングサーバ、ストリーミングデータサーバ、別のサーバ、またはサーバの組合せを含めて、サーバを含んでもよいか、またはサーバに通信可能に結合されてもよい。
【００５０】
コンピュータ202は、ネットワーク230を介して(たとえば、別のコンピュータ202上で実行しているクライアントソフトウェアアプリケーションから)要求を受信し、ソフトウェアアプリケーションまたはソフトウェアアプリケーションの組合せを使用して、受信された要求を処理することによって、受信された要求に応じることができる。加えて、要求は、内部ユーザから(たとえば、コマンドコンソールから、または別の内部アクセス方法によって)、外部当事者もしくは第三者、または他のエンティティ、個人、システム、もしくはコンピュータからコンピュータ202に送られてもよい。
【００５１】
コンピュータ202の構成要素の各々は、システムバス203を使用して通信することができる。いくつかの実施形態では、ハードウェア、ソフトウェア、またはハードウェアおよびソフトウェアの組合せを含めて、コンピュータ202の構成要素のうちのいずれかまたはすべては、アプリケーションプログラミングインターフェース(API)212、サービスレイヤ213、またはAPI212およびサービスレイヤ213の組合せを使用して、システムバス203を介してインターフェースをとることができる。API212は、ルーチン、データ構造、およびオブジェクトクラスに関する仕様を含み得る。API212は、コンピュータ言語依存型であっても非依存型であってもよく、コンピュータインターフェース、単一機能、またはAPIのセットをすら指すことがある。サービスレイヤ213は、ソフトウェアサービスをコンピュータ202、またはコンピュータ202に通信可能に結合された他の構成要素(示されているか否かにかかわらず)に提供することができる。コンピュータ202の機能性は、このサービスレイヤを使用してすべてのサービス消費者に対してアクセス可能であり得る。サービスレイヤ213によって提供されるソフトウェアサービスなどのソフトウェアサービスは、定義されたインターフェースを通して再使用可能な、定義された機能性を提供することができる。たとえば、インターフェースは、JAVA(登録商標)、C++、別のコンピューティング言語、もしくは拡張可能マークアップ言語(XML)フォーマット、別のフォーマット、またはフォーマットの組合せでデータを提供するコンピューティング言語の組合せで書き込まれたソフトウェアであり得る。コンピュータ202の統合構成要素として示されているが、代替実装形態は、コンピュータ202の他の構成要素またはコンピュータ202に通信可能に結合された他の構成要素(示されているか否かにかかわらず)に関して独立型構成要素としてAPI212またはサービスレイヤ213を示す場合がある。その上、API212またはサービスレイヤ213のうちのいずれかの部分またはすべての部分は、本開示の範囲から逸脱せずに、別のソフトウェアモジュール、エンタープライズアプリケーション、またはハードウェアモジュールの子またはサブモジュールとして実装されてもよい。
【００５２】
コンピュータ202はインターフェース204を含む。図2では単一のインターフェース204として示されているが、コンピュータ202の特定のニーズ、要望、または特定の実装形態に従って、2つ以上のインターフェース204が使用されてもよい。インターフェース204は、分散環境においてネットワーク230に通信可能にリンクされた別のコンピューティングシステム(示されているか否かにかかわらず)と通信するためにコンピュータ202によって使用される。概して、インターフェース204は、ネットワーク230と通信するように動作可能であり、ソフトウェア、ハードウェア、またはソフトウェアおよびハードウェアの組合せの形で符号化された論理を備える。より具体的には、インターフェース204は、ネットワーク230またはインターフェースのハードウェアが示すコンピュータ202の内部および外部の物理信号を通信するように動作可能であるように、通信に関連する1つまたは複数の通信プロトコルをサポートするソフトウェアを備え得る。
【００５３】
コンピュータ202はプロセッサ205を含む。図2では単一のプロセッサ205として示されているが、コンピュータ202の特定のニーズ、要望、または特定の実装形態に従って、2つ以上のプロセッサが使用されてもよい。概して、プロセッサ205は、命令を実行し、データを操作して、コンピュータ202の動作、および本開示で説明するような、任意のアルゴリズム、方法、機能、プロセス、フロー、および手順を実行することができる。
【００５４】
コンピュータ202は、コンピュータ202、ネットワーク230に通信可能にリンクされた別の構成要素(示されているか否かにかかわらず)、またはコンピュータ202および別の構成要素の組合せに対するデータを維持し得るデータベース206を含み得る。たとえば、データベース206は、インメモリデータベース、従来型データベース、または本開示と整合するデータを記憶する別のタイプのデータベースであってよい。いくつかの実施形態では、データベース206はコンピュータ202の特定のニーズ、要望、または特定の実装形態、および説明する機能性に従って、2つ以上の異なるデータベースタイプ(たとえば、ハイブリッドのインメモリおよび従来型データベース)の組合せであってよい。図2では単一のデータベース206として示されているが、コンピュータ202の特定のニーズ、要望、または特定の実装形態、および説明する機能に従って、同様のまたは異なるタイプの2つ以上のデータベースが使用されてよい。データベース206はコンピュータ202の一体化構成要素として示されているが、代替実装形態では、データベース206はコンピュータ202の外部にあってよい。
【００５５】
コンピュータ202は、コンピュータ202、ネットワーク230に通信可能にリンクされた1つまたは複数の別の構成要素(示されているか否かにかかわらず)、またはコンピュータ202および別の構成要素の組合せに対するデータを維持し得るメモリ207を含み得る。メモリ207は、本開示に整合する任意のデータを記憶することができる。いくつかの実施形態では、メモリ207は、コンピュータ202特定のニーズ、要望、または特定の実装形態、および説明する機能性に従って、2つ以上の異なるタイプのメモリの組合せ(たとえば、半導体および磁気記憶装置の組合せ)であってよい。図2では単一のメモリ207として示されているが、コンピュータ202特定のニーズ、要望、または特定の実装形態、および説明する機能性に従って、2つ以上のメモリ207または同様のもしくは異なるタイプが使用されてよい。メモリ207はコンピュータ202の統合構成要素として示されているが、代替実装形態では、メモリ207はコンピュータ202の外部にあってよい。
【００５６】
アプリケーション208は、特に本開示で説明する機能性に関して、コンピュータ202特定のニーズ、要望、または特定の実装形態に従って機能性を提供するアルゴリズムソフトウェアエンジンである。たとえば、アプリケーション208は、1つまたは複数の構成要素、モジュール、またはアプリケーションとして役立ち得る。さらに、単一のアプリケーション208として示されているが、アプリケーション208は、コンピュータ202上で複数のアプリケーション208として実装され得る。加えて、コンピュータ202と一体化されるとして示されているが、代替実装形態では、アプリケーション208はコンピュータ202の外部にあってよい。
【００５７】
コンピュータ202はまた電源214を含み得る。電源214は、ユーザが交換可能または交換不可能であるように構成され得る充電式または非充電式バッテリーを含み得る。いくつかの実施形態では、電源214は、(充電式、独立型、または別の電力管理機能性を含めて)電力変換回路または電力管理回路を含み得る。いくつかの実施形態では、電源214は、たとえば、コンピュータ202に電源投入するか、または充電式バッテリーを充電するために、コンピュータ202が壁コンセントまたは別の電源にプラグインされることを可能にする電源プラグを含み得る。
【００５８】
コンピュータ202を含むコンピュータシステムに関連する、またはその外部に任意の数のコンピュータ202が存在し得、各コンピュータ202はネットワーク230を介して通信する。さらに、「クライアント」、「ユーザ」という用語、または他の適切な用語は、本開示の範囲から逸脱せずに、適宜に交換可能に使用され得る。その上、本開示は、多くのユーザが1つのコンピュータ202を使用することができること、または1人のユーザが複数のコンピュータ202を使用することができることを企図する。
【００５９】
主題の説明した実装形態は、1つまたは複数の特徴を単独でまたは組み合わせて含むことが可能である。
【００６０】
たとえば、第1の実装形態では、VRアプリケーションによってサポートされるサービスを開始するための、仮想現実デバイスユーザの音声コマンドを認識するステップと、生体センサを使用してVRデバイスユーザの1つまたは複数の生体特性を収集するステップと、収集された1つまたは複数の生体特性に基づいてユーザ識別認証を実行するステップと、ユーザ識別認証が成功した場合、サービスを実行するためにサービスを提供するサーバと通信するステップとを含む、コンピュータ実装方法が提供される。
【００６１】
前述のおよび他の説明する実装形態は、各々、オプションで、以下の特徴のうちの1つまたは複数を含み得る。
【００６２】
サービスを取り消すための、VRデバイスユーザの音声コマンドを認識した後で、サービスを取り消すステップをさらに含む、以下の特徴のうちのいずれかと組み合わせ可能な、第1の特徴。
【００６３】
別のサービスに切換えるための、VRデバイスユーザの音声コマンドを認識した後で、別のサービスに切換えるステップをさらに含む、前のまたは以下の特徴のうちのいずれかと組み合わせ可能な、第2の特徴。
【００６４】
サーバと通信するステップが、音声コマンドに基づいて音声認識要求を構築するステップと、アクセスインターフェースを通して音声認識要求をサーバに送るステップと、音声コマンドに関連する文字列命令を受信するステップと、受信された文字列命令に応じてサービスを実行するステップとをさらに含む、前のまたは以下の特徴のうちのいずれかと組み合わせ可能な、第3の特徴。
【００６５】
ユーザを検出するために生物学的検定プロセスを実行するステップと、生物学的検定プロセスに基づいてユーザが検出された場合、生体認証を実行するようにユーザに通知するための通知をVRシナリオ内に提示するステップとをさらに含む、前のまたは以下の特徴のうちのいずれかと組み合わせ可能な、第4の特徴。
【００６６】
生物学的検定プロセスが、瞬きの認識または心拍の認識を含む、前のまたは以下の特徴のうちのいずれかと組み合わせ可能な、第5の特徴。
【００６７】
生体認証を実行するようにユーザを案内するための仮想案内をVRシナリオ内に提示するステップをさらに含む、前のまたは以下の特徴のうちのいずれかと組み合わせ可能な、第6の特徴。
【００６８】
ユーザの生体情報をVRデバイスのユーザのユーザアカウントに登録するために、1つまたは複数の生体センサを使用して生体情報を収集するステップと、サービスを提供するサーバに生体登録要求を送るステップであって、生体登録要求が、ユーザアカウントに関連する、収集された生体情報を含む、送るステップとをさらに含む、前のまたは以下の特徴のうちのいずれかと組み合わせ可能な、第7の特徴。
【００６９】
生体認証のための1つまたは複数の生体センサを使用して、ユーザの1つまたは複数の生体特性を収集するステップと、生体認証要求をサーバに送るステップであって、生体認証要求が、サービスサーバが生体認証のための生体情報と比較するための1つまたは複数の生体特性を含む、送るステップとをさらに含む、前のまたは以下の特徴のうちのいずれかと組み合わせ可能な、第8の特徴。
【００７０】
1つまたは複数の生体特性が、VRデバイスユーザの指紋を含む、前のまたは以下の特徴のうちのいずれかと組み合わせ可能な、第9の特徴。
【００７１】
第2の実装形態では、VRアプリケーションによってサポートされるサービスを開始するための、仮想現実デバイスユーザの音声コマンドを認識することと、生体センサを使用してVRデバイスユーザの1つまたは複数の生体特性を収集することと、収集された1つまたは複数の生体特性に基づいてユーザ識別認証を実行することと、ユーザ識別認証が成功した場合、サービスを実行するためにサービスを提供するサーバと通信することとを含む動作を実行するための、コンピュータシステムによって実行可能な1つまたは複数の命令を記憶する非一時的なコンピュータ可読媒体が提供される。
【００７２】
前述のおよび他の説明した実装形態は、各々、オプションで、以下の特徴のうちの1つまたは複数を含み得る。
【００７３】
サービスを取り消すための、VRデバイスユーザの音声コマンドを認識した後で、サービスを取り消すことをさらに含む、以下の特徴のうちのいずれかと組み合わせ可能な、第1の特徴。
【００７４】
別のサービスに切換えるための、VRデバイスユーザの音声コマンドを認識した後で、別のサービスに切換えることをさらに含む、前のまたは以下の特徴のうちのいずれかと組み合わせ可能な、第2の特徴。
【００７５】
音声コマンドに基づいて音声認識要求を構築することと、アクセスインターフェースを通して音声認識要求をサーバに送ること、音声コマンドに関連する文字列命令を受信することと、受信された文字列命令に応じてサービスを実行することとをさらに含む、前のまたは以下の特徴のうちのいずれかと組み合わせ可能な、第3の特徴。
【００７６】
ユーザを検出するために生物学的検定プロセスを実行することと、生物学的検定プロセスに基づいてユーザが検出された場合、生体認証を実行するようにユーザに通知するための通知をVRシナリオ内に提示することとをさらに含む、前のまたは以下の特徴のうちのいずれかと組み合わせ可能な、第4の特徴。
【００７７】
生物学的検定プロセスが、瞬きの認識または心拍の認識を含む、前のまたは以下の特徴のうちのいずれかと組み合わせ可能な、第5の特徴。
【００７８】
生体認証を実行するようにユーザを案内するための仮想案内をVRシナリオ内に提示することをさらに含む、前のまたは以下の特徴のうちのいずれかと組み合わせ可能な、第6の特徴。
【００７９】
ユーザの生体情報をVRデバイスのユーザのユーザアカウントに登録するために、1つまたは複数の生体センサを使用して生体情報を収集することと、サービスを提供するサーバに生体登録要求を送ることであって、生体登録要求が、ユーザアカウントに関連する、収集された生体情報を含む、送ることとをさらに含む、前のまたは以下の特徴のうちのいずれかと組み合わせ可能な第7の特徴。
【００８０】
生体認証のために、1つまたは複数の生体センサを使用してユーザの1つまたは複数の生体特性を収集することと、生体認証要求をサーバに送ることであって、生体認証要求が、サービスサーバが生体認証のための生体情報と比較するための1つまたは複数の生体特性を含む、送ることとをさらに含む、前のまたは以下の特徴のうちのいずれかと組み合わせ可能な、第8の特徴。
【００８１】
1つまたは複数の生体特性が、VRデバイスユーザの指紋を含む、前のまたは以下の特徴のうちのいずれかと組み合わせ可能な、第9の特徴。
【００８２】
第3の実装形態では、VRアプリケーションによってサポートされるサービスを開始するための、仮想現実デバイスユーザの音声コマンドを認識することと、生体センサを使用してVRデバイスユーザの1つまたは複数の生体特性を収集することと、収集された1つまたは複数の生体特性に基づいてユーザ識別認証を実行することと、ユーザ識別認証が成功した場合、サービスを実行するためにサービスを提供するサーバと通信することとを含む、コンピュータ実装システムが提供される。
【００８３】
前述のおよび他の説明した実装形態は、各々、オプションで、以下の特徴のうちの1つまたは複数を含み得る。
【００８４】
サービスを取り消すために、VRデバイスユーザの音声コマンドを認識した後で、サービスを取り消すことをさらに含む、以下の特徴のうちのいずれかと組み合わせ可能な、第1の特徴。
【００８５】
別のサービスに切換えるための、VRデバイスユーザの音声コマンドを認識した後で、別のサービスに切換えることをさらに含む、前のまたは以下の特徴のうちのいずれかと組み合わせ可能な、第2の特徴。
【００８６】
音声コマンドに基づいて音声認識要求を構築することと、アクセスインターフェースを通して音声認識要求をサーバに送ること、音声コマンドに関連する文字列命令を受信することと、受信された文字列命令に応じてサービスを実行することとをさらに含む、前のまたは以下の特徴のうちのいずれかと組み合わせ可能な、第3の特徴。
【００８７】
ユーザを検出するために生物学的検定プロセスを実行することと、生物学的検定プロセスに基づいてユーザが検出された場合、生体認証を実行するようにユーザに通知するための通知をVRシナリオ内に提示することとをさらに含む、前のまたは以下の特徴のうちのいずれかと組み合わせ可能な、第4の特徴。
【００８８】
生物学的検定プロセスが、瞬きの認識または心拍の認識を含む、前のまたは以下の特徴のうちのいずれかと組み合わせ可能な、第5の特徴。
【００８９】
生体認証を実行するようにユーザを案内するための仮想案内をVRシナリオ内に提示することをさらに含む、前のまたは以下の特徴のうちのいずれかと組み合わせ可能な、第6の特徴。
【００９０】
ユーザの生体情報をVRデバイスのユーザのユーザアカウントに登録するために、1つまたは複数の生体センサを使用して生体情報を収集することと、サービスを提供するサーバに生体登録要求を送ることであって、生体登録要求が、ユーザアカウントに関連する、収集された生体情報を含む、送ることとをさらに含む、前のまたは以下の特徴のうちのいずれかと組み合わせ可能な、第7の特徴。
【００９１】
生体認証のための1つまたは複数の生体センサを使用して、ユーザの1つまたは複数の生体特性を収集することと、生体認証要求をサーバに送ることであって、生体認証要求が、サービスサーバが生体認証のための生体情報と比較するための1つまたは複数の生体特性を含む、送ることとをさらに含む、前のまたは以下の特徴のうちのいずれかと組み合わせ可能な、第8の特徴。
【００９２】
1つまたは複数の生体特性が、VRデバイスユーザの指紋を含む、前のまたは以下の特徴のうちのいずれかと組み合わせ可能な、第9の特徴。
【００９３】
本明細書で説明した主題および機能的動作の実装形態は、デジタル電子回路の形で、有形に実施されたコンピュータソフトウェアもしくはファームウェアの形で、本明細書内で開示した構造およびそれらの構造的均等物を含めて、コンピュータハードウェアの形で、またはそれらのうちの1つまたは複数の組合せで実装され得る。説明した主題のソフトウェア実装形態は、1つまたは複数のコンピュータプログラム、すなわち、データ処理装置によって実行するために、またはデータ処理装置の動作を制御するために、有形の非一時的なコンピュータ可読コンピュータ記憶媒体上に符号化されたコンピュータプログラム命令の1つまたは複数のモジュールとして実装され得る。代替または追加として、プログラム命令は、人工的に生成された伝搬信号、たとえば、データ処理装置による実行のために受信機装置に送信するための情報を符号化するために生成される機械生成された電気信号、光信号、または電磁信号内/上に符号化され得る。コンピュータ記憶媒体は、機械可読記憶デバイス、機械可読記憶基盤、ランダムアクセスメモリデバイスもしくはシリアルアクセスメモリデバイス、またはコンピュータ記憶媒体の組合せであり得る。1つまたは複数のコンピュータを構成することは、ソフトウェアが1つまたは複数のコンピュータによって実行されると、特定のコンピューティング動作が実行されるように、1つまたは複数のコンピュータが、ハードウェア、ファームウェア、またはソフトウェア(または、ハードウェア、ファームウェア、およびソフトウェアの組合せ)をインストールすることを意味する。
【００９４】
「リアルタイム(real-time)」、「リアルタイム(real time)」、「リアルタイム(realtime)」、「リアル(高速)タイム(RFT:real (fast) time)」、「ニア(ほぼ)リアルタイム(NRT:near(ly) real-time)」、「準リアルタイム」という用語、または(当業者が理解する)同様の用語は、個人がその行為および応答が実質的に同時に生じていることを理解するように、行為および応答が時間的に近接していることを意味する。たとえば、データにアクセスするための個人の行為に続くデータの表示に対する(または、表示の開始に対する)時間差は、1ミリ秒(ms)未満、1秒(s)未満、または5s未満であり得る。要求されたデータは瞬時に表示されなくてよいが(または、表示のために開始されなくてよいが)、そのデータは、説明するコンピューティングシステムの処理限界、および、たとえば、そのデータを集める、正確に測定する、分析する、処理する、記憶する、または送信するために必要とされる時間を考慮に入れて、何らの意図的な遅延もなしに表示される(または表示を開始する)。
【００９５】
「データ処理装置」、「コンピュータ」、または「電子コンピュータデバイス」(または、当業者が理解するような均等物)は、データ処理ハードウェアを指し、例として、プログラマブルプロセッサ、コンピュータ、または複数のプロセッサもしくはコンピュータを含めて、データを処理するためのあらゆる種類の装置、デバイス、および機械を包含する。装置は、専用論理回路、たとえば、中央処理装置(CPU)、FPGA(フィールドプログラマブルゲートアレイ)、またはASIC(特定用途向け集積回路)であってもよく、またはそれらをさらに含んでもよい。いくつかの実施形態では、データ処理装置もしくは専用論理回路(または、データ処理装置もしくは専用論理回路の組合せ)は、ハードウェアベースもしくはソフトウェアベース(または、ハードウェアベースとソフトウェアベースの両方)であってよい。装置は、オプションで、コンピュータプログラム用の実行環境を生み出すコード、たとえば、プロセッサファームウェア、プロトコルスタック、データベース管理システム、オペレーティングシステム、または実行環境の組合せを構成するコードを含み得る。本開示は、何らかのタイプのコンピューティングシステム、たとえば、LINUX、UNIX(登録商標)、WINDOWS(登録商標)、MAC OS、ANDROID(登録商標)、IOS、別のオペレーティングシステム、またはオペレーティングシステムを備えたデータ処理装置の組合せの使用を企図する。
【００９６】
プログラム、ソフトウェア、ソフトウェアアプリケーション、ユニット、モジュール、ソフトウェアモジュール、スクリプト、コード、または他の構成要素と呼ばれることもあり、またはそれらとして説明されることもあるコンピュータプログラムは、コンパイラ型言語もしくはインタープリタ型言語、または宣言型言語もしくは手続き型言語を含めて、任意の形態のプログラミング言語で書き込まれてよく、コンピューティング環境で使用するために、たとえば、独立型プログラム、モジュール、構成要素、またはサブルーチンとして、を含めて、任意の形態で展開されてよい。コンピュータプログラムは、ファイルまたはファイルシステムに対応し得るが、そうでなくてもよい。プログラムは、他のプログラムまたはデータ、たとえば、マークアップ言語文書内に、当該プログラム専用の単一ファイル内に、または複数の協調ファイル、たとえば、1つまたは複数のモジュール、サブプログラム、またはコードの部分を記憶するファイル内に記憶された1つまたは複数のスクリプトを保持するファイルの一部分の中に記憶されてよい。コンピュータプログラムは、1つのコンピュータ、または1つのサイトに配置された、または複数のサイトにわたって分散され、通信ネットワークによって相互接続された、複数のコンピュータ上で実行されるように展開されてよい。
【００９７】
様々な図において示したプログラムの部分は、様々なオブジェクト、方法、または他のプロセスを使用して、説明する特徴および機能性を実装するユニットまたはモジュールなど、個々の構成要素として示される場合があるが、プログラムは、代わりに、いくつかのサブユニット、サブモジュール、第三者サービス、ライブラリ、および他の構成要素を適宜に含んでよい。逆に、様々な構成要素の特徴および機能性は、適宜に単一の構成要素内に組み込まれてよい。計算上の判定を行うために使用されるしきい値は、静的に、動的に、または静的と動的の両方で判定されてよい。
【００９８】
説明した方法、プロセス、または論理のフローは、本開示に整合する機能性の1つまたは複数の例を表し、本開示を説明したまたは示した実施形態に限定することを意図せず、説明した原理および特徴に整合する最大範囲が与えられるべきである。説明した方法、プロセス、または論理のフローは、入力データに関して動作し、出力データを生成することによって機能を実行するために、1つまたは複数のコンピュータプログラムを実行する1つまたは複数のプログラマブルコンピュータによって実行され得る。方法、プロセス、または論理のフローは、専用論理回路、たとえば、CPU、FPGA、またはASICによって実行されてもよく、装置は、専用論理回路、たとえば、CPU、FPGA、またはASICとして実装されてもよい。
【００９９】
コンピュータプログラムの実行のためのコンピュータは、汎用マイクロプロセッサまたは専用マイクロプロセッサ、両方、または別のタイプのCPUに基づいてよい。概して、CPUは、命令およびデータをメモリから受信し、命令およびデータをメモリに書き込むことになる。コンピュータの本質的な要素は、命令を実施または実行するためのCPU、および、命令およびデータを記憶するための1つまたは複数のメモリデバイスである。概して、コンピュータはまた、データを記憶するための1つまたは複数の大容量記憶デバイス、たとえば、磁気ディスク、光磁気ディスク、または光ディスクを含むことになるか、またはそれらからデータを受信するか、またはそれらにデータを送信するか、または両方のために動作可能に結合されることになる。しかしながら、コンピュータはそのようなデバイスを有さなくてもよい。その上、コンピュータは、別のデバイス、たとえば、モバイル電話、携帯情報端末(PDA)、モバイルオーディオプレーヤーもしくはモバイルビデオプレーヤー、ゲームコンソール、全地球測位システム(GPS)受信機、またはポータブルメモリ記憶デバイス内に埋め込まれてよい。
【０１００】
コンピュータプログラム命令およびデータを記憶するための非一時的コンピュータ可読媒体は、例として、半導体メモリデバイス、たとえば、ランダムアクセスメモリ(RAM)、読取り専用メモリ(ROM)、相変化メモリ(PRAM)、スタティックランダムアクセスメモリ(SRAM)、ダイナミックランダムアクセスメモリ(DRAM)、消去可能プログラマブル読取り専用メモリ(EPROM)、電気的消去可能プログラマブル読取り専用メモリ(EEPROM)、およびフラッシュメモリデバイス;磁気デバイス、たとえば、テープ、カートリッジ、カセット、内部/リムーバブルディスク;光磁気ディスク;および、光メモリデバイス、たとえば、デジタルビデオディスク(DVD)、CD-ROM、DVD+/-R、DVD-RAM、DVD-ROM、HD-DVD、およびBLURAY、ならびに他の光メモリ技術を含めて、任意の形態の永久/非永久または揮発性/不揮発性のメモリ、媒体、およびメモリデバイスを含み得る。メモリは、動的情報、または、任意のパラメータ、変数、アルゴリズム、命令、規則、制約、または参照文献を含む他の適切な情報を記憶する、キャッシュ、クラス、フレームワーク、アプリケーション、モジュール、バックアップデータ、ジョブ、ウェブページ、ウェブページテンプレート、データ構造、データベーステーブル、リポジトリを含めて、様々なオブジェクトまたはデータを記憶することができる。加えて、メモリは、ログ、ポリシー、セキュリティもしくはアクセスデータ、または報告ファイルなど、他の適切なデータを含み得る。プロセッサおよびメモリは、専用論理回路によって補完されてよいか、または専用論理回路内に組み込まれてよい。
【０１０１】
ユーザとの対話を提供するために、本明細書で説明した主題の実装形態は、情報をユーザに表示するための、ディスプレイデバイス、たとえば、CRT(陰極線管)、LCD(液晶ディスプレイ)、LED(発光ダイオード)、またはプラズマモニタ、それによってユーザが入力をコンピュータに提供することができるキーボードおよびポインティングデバイス、たとえば、マウス、トラックボール、またはトラックパッドを有するコンピュータ上で実装され得る。入力は、感圧性を備えたタブレットコンピュータ表面などのタッチスクリーン、容量感知または電気感知を使用するマルチタッチスクリーン、または別のタイプのタッチスクリーンなど、タッチスクリーンを使用してコンピュータに提供されてもよい。他のタイプのデバイスを使用してユーザと対話することもできる。たとえば、ユーザに提供されるフィードバックは、任意の形態の知覚フィードバック(視覚、聴覚、触覚、またはフィードバックタイプの組合せなど)であり得る。ユーザからのフィードバックは、音響入力、音声入力、または触覚入力を含めて、任意の形態で受信され得る。加えて、コンピュータは、ユーザが使用するクライアントコンピューティングデバイスに文書を送り、そのクライアントコンピューティングデバイスから文書を受信することによって(たとえば、ウェブブラウザから受信された要求に応じて、ウェブページをユーザのモバイルコンピューティングデバイス上でウェブブラウザに送ることによって)、ユーザと対話することができる。
【０１０２】
「グラフィカルユーザインターフェース」または「GUI」という用語は、1つまたは複数のグラフィカルユーザインターフェース、および特定のグラフィカルユーザインターフェースのディスプレイの各々を説明するために、単数または複数で使用されてよい。したがって、GUIは、情報を処理して、その情報結果をユーザに効率的に提示する、限定はしないが、ウェブブラウザ、タッチスクリーン、またはコマンドラインインターフェース(CLI)を含む、任意のグラフィカルユーザインターフェースを表し得る。概して、GUIは、そのいくつかまたはすべてが対話フィールド、プルダウンリスト、およびボタンなど、ウェブブラウザに関連付けられる、複数のユーザインターフェース(UI)要素を含み得る。これらのおよび他のUI要素は、ウェブブラウザの機能に関する場合があり、またはそれらの機能を表す場合がある。
【０１０３】
本明細書で説明した主題の実装形態は、たとえば、データサーバなど、バックエンド構成要素を含む、または、ミドルウェア構成要素、たとえば、アプリケーションサーバを含む、またはフロントエンド構成要素、たとえば、それを通してユーザが本明細書で説明した主題の実装と対話し得るグラフィカルユーザインターフェースまたはウェブブラウザを有するクライアントコンピュータを含む、または1つまたは複数のそのようなバックエンド構成要素、ミドルウェア構成要素、もしくはフロントエンド構成要素の何らかの組合せを含むコンピューティングシステム内で実装され得る。システムの構成要素は、任意の形態または媒体のワイヤラインまたはワイヤレスのデジタルデータ通信(または、データ通信の組合せ)、たとえば、通信ネットワークによって相互接続され得る。通信ネットワークの例には、ローカルエリアネットワーク(LAN)、無線アクセスネットワーク(RAN)、メトロポリタンエリアネットワーク(MAN)、ワイドエリアネットワーク(WAN)、ワールドワイドインターオペラビリティフォーマイクロウェーブアクセス(WIMAX)、たとえば、802.11a/b/g/nもしくは802.20(または、802.11xおよび802.20の組合せ、もしくは本開示に整合する他のプロトコル)を使用するワイヤレスローカルエリアネットワーク(WLAN)、インターネットのすべてまたは一部分、別の通信ネットワーク、または通信ネットワークの組合せがある。通信ネットワークは、ネットワークアドレス同士の間で、たとえば、インターネットプロトコル(IP)パケット、フレームリレーフレーム、非同期転送モード(ATM)セル、音声、ビデオ、データ、または他の情報を通信することができる。
【０１０４】
コンピューティングシステムは、クライアントおよびサーバを含み得る。クライアントおよびサーバは、概して、互いと離れており、一般的に、通信ネットワークを通して対話する。クライアントおよびサーバの関係は、それぞれのコンピュータ上で実行し、互いにクライアント/サーバ関係を有するコンピュータプログラムによって生じる。
【０１０５】
本明細書は多くの特定の実装詳細を含むが、これらは、いずれかの発明の範囲に、または特許請求され得る範囲に対する限定と解釈されるべきではなく、特定の発明の特定の実装に固有であり得る特徴の説明と解釈されるべきである。別個の実装形態の文脈で本明細書において説明したいくつかの特徴は、組み合わされて実装されても、単一の実装形態の形で実装されてもよい。逆に、単一の実装形態の文脈で説明した様々な特徴は、複数の実装形態の形で別個に、または何らかの部分的な組合せとして実装されてもよい。その上、前に説明した特徴は、幾つかの組合せで働くとして説明される場合があり、当初、そのように特許請求される場合すらあるが、特許請求される組合せからの1つまたは複数の特徴は、場合によっては、その組合せから削除される場合があり、特許請求される組合せは、部分的な組合せを対象とする場合があるか、または部分的な組合せの変種を対象とする場合もある。
【０１０６】
主題の特定の実装形態が説明されてきた。当業者が理解するように、説明した実装形態の他の実装形態、改変、および置換は、続く特許請求の範囲内である。動作は図面または特許請求の範囲において特定の順序で示されているが、これは、そのような動作が示された特定の順序でまたは順番で実行されるべきであること、または望ましい結果を達成するために、すべての示された動作が実行されるべきであることを必要とするものと理解すべきではない(いくつかの動作はオプションと見なされてよい)。いくつかの状況では、マルチタスキングもしくは並列処理(または、マルチタスキングと並列処理の組合せ)が有利な場合があり、適切であると見なされる場合、実行される場合がある。
【０１０７】
その上、すでに説明した実装形態における様々なシステムモジュールおよび構成要素の分離または統合は、すべての実装形態においてそのような分離または統合を必要とするものと理解されるべきではなく、説明したプログラム構成要素およびシステムは、概して、単一のソフトウェア製品内に一緒に統合されてよく、または複数のソフトウェア製品にパッケージングされてよいことを理解されたい。
【０１０８】
したがって、すでに説明した例示的な実装形態は、本開示を定義または制約しない。本開示の範囲から逸脱せずに、他の変更、置換、および改変も可能である。
【０１０９】
さらに、いずれかの特許請求される実装形態は、少なくともコンピュータ実装方法;  コンピュータ実装方法を実行するためのコンピュータ可読命令を記憶した、非一時的なコンピュータ可読媒体;およびコンピュータ実装方法、または非一時的なコンピュータ可読媒体上に記憶された命令を実行するように構成されたハードウェアプロセッサに相互運用可能に結合されたコンピュータメモリを備えたコンピュータシステムに適用可能であると見なされる。
【符号の説明】
【０１１０】
100  方法
200  コンピュータシステム
202  コンピュータ
203  システムバス
204  インターフェース
205  プロセッサ
206  データベース
207  メモリ
208  アプリケーション
212  アプリケーションプログラミングインターフェース(API)
213  サービスレイヤ
214  電源
230  ネットワーク
【図１】
0006773901.tif 000002
【図２】
0006773901.tif 000003